(57)【要約】      （修正有）【課題】二人が同じベッドで就寝しても、体臭、ニンニク臭、いびき等の相互の影響をなくす。【解決手段】就寝する際に二人の間にぶつかっても怪我をしない柔軟性、伸縮性、クッション性を有する脱着可能で、安価な間仕切りを設ける。間仕切りの構造は、伸縮自在の保持支柱５に固定治具７を介してぶつかっても怪我をしない素材でできた間仕切り板６を固定したものである。ベッドに設置するには、基本的に二通りの固定方法があり、一つは、保持支柱を頭部側のベッドボードに直接固定する方法であり、他の方法は、保持支柱をベットボードとマットレスの隙間に差し込み固定する方法である。【選択図】図２
2014079543.tif 000002
【特許請求の範囲】
【請求項１】
寝具を具備したベッドを一つ以上の複数の空間に分割できる間仕切りにおいて、保持支柱に固定治具を介して間仕切り板を固定した脱着可能な間仕切り。
【請求項２】
保持支柱が伸縮自在であることを特徴とする請求項１の間仕切り。
【請求項３】
間仕切り板を固定する固定治具に回転する保持バーを具備し、保持支柱と平行になるように使用状態から、折り畳むことができる請求項１の間仕切り。
【発明の詳細な説明】
【技術分野】
【０００１】本発明は、就寝、休息時（以下就寝と略省する）に使用するベッドの間仕切りに関するものである。ベッドは、使用する人数で、ある程度大きさが規定されている。例えば、一人では、シングルサイズベッド、二人では、ダブルサイズベッド、クイーンサイズベッド、キングサイズベッド等である。同じベッド例えばダブルベッドで二人で就寝する時に、一人がニンニクのたっぷり入った中華料理などを食べた後などは、呼吸をする度に、強烈なニンニク臭を吐き出している。もう一人の人にとっては、耐え難い状況である。【０００２】そこで、二人の顔の間に間仕切りをすると、臭い息を直接吹きかけられるのを防ぐことができ、安眠し易くなる。本発明は、二人の間に設置する脱着可能なベッドの間仕切りに関するものである。
【背景技術】
【０００３】これまで二人が同じベットで就寝する時に、二人の間に間仕切りをする習慣は見られなかった。しかし実際に間仕切りをすると、意外なことにあたかも一人で就寝しているかの様な錯覚に陥る。従来も、公開実用新案昭６１−１１６５５４号には、２台のベッドを並べて使用する際に、ベッド間の間仕切りのために、ベッドの頭部側若しくは、側頭部横部に一端を固定し、他端を回転させたり、上下させる間仕切りを、またダブルベットでは、頭部側中央部に一端が固定された回転可能な間仕切りを設置する考案がされている。また、特開２００７−１９０３０７号には、宮付きタイプベッドの宮の内部に固定レールなどで間仕切りを固定しておき、使用時に、レールを介して間仕切りを引き出す考案がある。上記二つの考案は、折畳んでいる間仕切りを、引っ張り出したり、回転させたりして間仕切りを組み立てる構成である。また、特開２０１０−６９２７６号は、災害時に簡易組み立て可能な段ボール製簡易ベッドを提供する考案であり、他の被災者とのプライバシー保護のために固定両側面壁が、収納時の折り畳み材の一部を形成する簡易ベッドである。従って、今までの公知文献内容は、間仕切りをベッドと一体化した構成になっている。
【先行技術文献】
【特許文献】
【０００４】
【特許文献１】公開実用新案公報  昭６１−１１６５５４
【特許文献２】公開特許公報  ２００７−１９０３０７
【特許文献３】特開２０１０−６９２７６
【発明の概要】
【発明が解決しようとする課題】
【０００５】上記特許文献１にあっては、２台のシングルサイズらしきベッドを並べて使用する際に、ベッド間の間仕切りのために、ベッドの頭部側若しくは、側頭部横部に一端を固定し、他端を回転させたり、上下させる間仕切りを、またダブルベットでは、頭部側中央部に一端が固定された回転可能な間仕切りを設置する考案がされている。また、更に特許文献２では、宮付きタイプベッドの宮の内部に固定レールなどで間仕切りを固定しておき、使用時に、レールを介して間仕切りを引き出す考案である。【０００６】上記二件の考案は、折畳んでいる間仕切りを、引っ張り出したり、回転させたりして間仕切りを組み立てるので、間仕切りを固定された場所（例えば、略中央部など）に設置されているので任意の場所に移動して使用することが出来ず不便であった。更に、この様な構成にするためには、精密な加工が必要であったり、材料代も嵩むので、高価なベッドであった。また、インテリア上も見場が悪かった。【０００７】特許文献３には、災害時に簡易組み立て可能な段ボール製簡易ベッドを提供する考案であり、他の被災者とのプライバシー保護のために固定両側面壁が、収納時の折り畳み材の一部を形成する簡易ベッドであるが、固定式の間仕切りのため、出入りし難い構造となっている。
【課題を解決するための手段】
【０００８】そこで、本発明にあっては、上記課題を解決するために、就寝する際に二人の間にぶつかっても怪我をしない柔軟性、伸縮性、クッション性を有する脱着可能で、安価な間仕切りを提案するものである。本発明の間仕切りの構造は、伸縮自在の保持支柱に固定治具を介してぶつかっても怪我をしない素材でできた間仕切り板を固定したものである。ベッドに設置するには、基本的に二通りの固定方法があり、一つは、保持支柱を頭部側のヘッドボードに直接固定する方法であり、他の方法は、保持支柱をヘッドボードとマットレスの隙間に差し込み固定する方法である。また、上記二通りの固定方法を同時に行っても良い。
【発明の効果】
【０００９】報道等によると、高齢者は、二人の体臭、ニンニク臭、いびき、生活習慣の違いなどで安眠できずに別室で寝ることが多いと言われている。その結果、一人に異変が起きた時などは、朝まで対応が遅れて悲惨な結果を招くことがあるそうである。そこで二人が一緒に就寝できればこの様な状況が少なくなる可能性が大きい。今まで、二人が同じベットで就寝する時に、二人の間に間仕切りをする習慣は見られなかった。【００１０】本発明は、ベッドに短時間で設置でき、軽量でしかも任意の場所に移動可能な間仕切りを提案することにある。その結果、お互いの睡眠状況を把握しながらも、視野内に相手の顔がないので、あたかも単独で就寝している様に感じ、互いに良質な睡眠を得ることができる。しかも本発明の間仕切りは、簡便に、素早く、軽量で脱着可能なので、眠くなったその時に瞬時に設置できるので便利である。更に間仕切り板に袋を作っておき、匂い袋を入れたり、ＴＶ・照明のリモコン等を入れておくことにより、すっきりしたベッドにもなる。
【図面の簡単な説明】
【００１１】
【図１】本発明のベッドの基本構造の斜視図
【図２】本発明の間仕切りの構造を示す側面図
【図３】バネ性フックを付けた保持支柱の側面図
【図４】本発明の使用状況の断面図と平面図
【図５】保持支柱に固定治具を固定する側面図
【図６】保持支柱に保持バーを取り付けた固定治具の側面図
【図７】保持バーを取り付けた固定治具の平面図と側面図
【図８】保持支柱に２本の回転バーを取り付けた間仕切りの側面図
【図９】保持支柱にバーを介して取り付けた間仕切り板をバーに巻き取り、折り畳んだ間仕切りの側面図
【図１０】固定治具に洗濯バサミを取り付けた間仕切りの断面図
【発明を実施するための形態】
【００１２】そこで、本発明にあっては、上記課題を解決するために、就寝する際に二人の間にぶつかっても怪我をしない柔軟性、伸縮性、クッション性を所有する間仕切りを設置し、快眠に繋げる一助に供することができる。
【００１３】基本的にベッドは、第１図に示すように頭部側にあるずり落ち防止のヘッドボード１、足側のずれ落ち防止のフットボード２、横板、床板３、足部などから構成され、床板３上にマットレス４を敷いて構成されている。一般的にヘッドボード１は、高さが床板からの距離ｂは、５００〜１０００ｍｍ、幅ａが、２０〜１００ｍｍ、マットレスの厚さｃは、１５０〜３００ｍｍである。使用する枕は、一般的に略５００ｍｍｘ３００ｍｍｘ１００ｔである。
【００１４】このベッドに可動式間仕切りを固定するには、基本的には、二通りの固定方法がある。一つは、頭部側のヘッドボード１に直接固定する方法。他の方法は、ヘッドボード１とマットレス４の隙間に固定する方法である。更に、床板に直接固定する方法も考えられる。間仕切りの構造は、第２図に示す様に、保持支柱５、間仕切り板６と夫々を繋ぐ固定治具７から構成されている。保持支柱（以下支柱と略称）の形状は、四角柱、円柱、楕円柱、三角柱、星形柱などの柱、若しくは、それらの組み合わせでも良く、強度があり、インテリア的に優れた形状が望ましい。その材質は、プラスチックス、金属、カーボン繊維及び繊維状強化材を混入した前述材質が好ましい。また、支柱の端には、第３図のようにバネ性のあるフックを取り付けても良い。このフックは、ヘッドボードの上端に引っ掛けて固定することが出来る。
【００１５】これらの支柱は、必要に応じて、長さを変動させる機能を付けておくこともできる。例えば、空洞の支柱を作成してその内部に小さめの延長支柱８を配置しておき、引っ張りだすことにより、長さの調整をすることもできる。実際に引っ張り出した支柱を固定するには、外側支柱の内部に内ねじを、内側の支柱に外ねじを切ることにより回転させながら任意の長さに引っ張り出し固定することが出来る。または、突っ張り棒の様に、螺旋状の伸長装置を設置しても良い。または、外側支柱の内部に凸状の突起を付け、内側支柱の表面に凹状のへっこみを付けておき、引っ張った時に夫々が嵌って固定することもできる。尚、引き延ばす方法、固定する方法は、上記に限定されるものではない。
【００１６】また支柱が回転すると、間仕切り板がぐら付くので、回転しないように、例えば平板などの回転防止治具を取り付けても良い。また、ヘッドボードとマットレスの隙間に差し込んだ時に横に倒れないように、下部に板等を取り付けても良い。この板が、前述の回転防止板と兼用しても良い。支柱は、一本でも良いが、２本以上使用しても良い。２本以上使用すれば、回転防止板を付けることは不要になる。
【００１７】間仕切り板は、使用する時に二人の間に設置されるので、顔に接する可能性が高い。顔に接しても怪我のない、しかもシックハウス症候群の心配のない材質であることが望ましい。例えば、天然繊維、合成繊維などの繊維状物、天然・合成プラスチック物、紙状物、綿状物などを使用することが望ましく、その組み合わせでも良い。また、柔軟性を持ち、丸めたり、折り畳んだりできる素材が望ましい。例えば、扇子を使用しても良い。ただしこの扇子は、一端の長さが異なる異形な扇子が良い。間仕切り板の寸法は、第４図の如く枕に頭を乗せた状態で人の鼻、口が十分に隠れる状態になることが必要であるが、大き過ぎると、肩、腕がぶつかってしまい間仕切り板が動いてしまう。高さは頭が隠れる程度で十分である。厚さは、互いの吐く息が直接漏れない程度の厚さがあれば十分である。薄い場合は、薄らと一方の顔をみるこが出来るので無呼吸症候症を患っている場合は様子を窺うこともできる。しかし、薄すぎると、形状を保持することが困難になるので、ある程度、形を保つ保形作用が必要である。また、宮に付いた照明を遮断するには、ある程度の厚さが必要である。この間仕切り板には、絵画、風景、図形などをプリントすることも良く、蛍光塗料（長残光蛍光体）を使用すると、入眠するまで、ぼんやりとした光源にもなる。また匂い袋、照明・ＴＶなどのリモコンをしまう袋を付けておくことも可能である。
【００１８】固定用治具７は、支柱と間仕切り板６を繋ぎ夫々を固定するものである。固定治具７と支柱５を固定するには、第５図に示すように、一例ではあるが保持支柱上をスライドできる構造とし、ネジ９で固定すると良い。また第６図に示す様に、固定治具７に間仕切り板６より少々小さ目の保持バー１０を付け、しかもこの保持バー１０は、支柱と平行から９０度回転して固定できるラチェット機構などを付けて固定する事も可能である。予め、間仕切り板６の一端に袋状の穴を成形しておき、保持バー１０を袋に差し込んで間仕切り板６を固定すると良い。保持バー１０の材質は、好ましくは、柔軟性のあるプラスチックスを使用すると良い。間仕切りを使用中に顔に当たる可能性があるので、間仕切り板の長さよりも僅かに短くしておくと良い。そうすると、袋から保持バー１０が食み出さず安全である。この保持バー１０を支柱５と並行になる様に折り畳んで収納する際に一緒に間仕切り板６も折り畳まれることにより簡単に短時間収納される。尚、間仕切り板６が薄い時には、第６図の様にもう一端にも更に保持バー１０を取り付けておくと間仕切り板がしっかりと固定し易くなる。また、第７図の様に、保持バーを折り畳む時に、保持バーの周りに間仕切り板６を巻き付けた後に、支柱に平行に折り畳む（９０度）と更に見場が良くなる。巻き付けるのには、手動で巻いても良いが、カーテンを自動で巻き付ける様なバネ機構を付けても良い。上記説明は、保持バーを折り畳む方式を説明したが、間仕切り板を取り外して収納することも可能である。その際には、保持支柱に取り付けた一個以上の洗濯バサミを取り付け間仕切り板を洗濯バサミで挟み固定する方法も可能である。以下実施例詳細で説明する。
【実施例】
【００１９】実施例１
ヘッドボードの厚さａが５０ｍｍ、床板からの高さｂが７００ｍｍ、マットレスの厚さｃが２５０ｍｍ、枕の高さが１００ｍｍの構成のベッドに、外径１３ｍｍφ、長さ４５０ｍｍのプラスチック製保持支柱に、第９図の保持支柱の頭部に保持支柱と同じ材質のプラスチック製フックを一体成型したフック部をヘッドボードに引っ掛けた。このフックは、第９図のように下部が内側に狭くなっているのでヘッドボードにしっかりとバネの力によって固定された。第４図の固定治具を保持支柱の頭部から５０ｍｍのところに第４図の様にネジで取り付けた。この固定治具には４ｍｍφｘ２９０ｍｍのプラスチック製保持バーが取り付けられている。間仕切り板は、木綿製厚さ５ｍｍｘ３１０ｍｍｘ３５０ｍｍの生地の一端には５ｍｍφの穴を縫製により長さ３１０ｍｍの連続した空洞を作成し、一端は穴を塞いである。保持支柱と９０度に保持バーを開き、この空洞に保持バーを通して第９図の間仕切りを作成した。また固定治具には９０度回転する第７図の構造にしてある。フック部位をヘッドボードに差し込むと、間仕切り板は、落ちることもなく、固定された。この間仕切りを枕と枕の間に設置すると、間仕切り板の下端が二人の枕の間に設置されるので、回転することも無かった。しかも二人からは、互いが見えず、あたかも一人で就寝している錯覚になり、朝まで安眠できた。間仕切りの収納は、第７図の如く間仕切り板を保持バーに巻き取り、保持支柱側に織り込むことによりできた。
実施例２
実施例１と同様のベッドで、３５０ｍｍ長さのプラスチック製保持支柱の内側には内ネジが切ってある。そこに嵌る同材質の外ネジを切った延長保持支柱をねじ込み伸長後の長さを５００ｍｍになるように作成した。実施例１と同様の固定治具、間仕切り板、回転バーを取り付け、間仕切りを作成した。但し、固定板には、３０ｘ１５ｘ３ｔｍｍの回転防止板を取り付けてある。この伸長した保持支柱をヘッドボードとマットレスの間に、挿入した。保持支柱は、マットレスの反発力で固定できた。この間仕切りでも実施例１と同様に安眠することができ、使用後は、折り畳んで収納することができた。
実施例３
実施例１と同様のフック付保持支柱の片面に第１０図のような洗濯バサミを２箇所取り付けた。なお、洗濯バサミの支点の部位には保持支柱に取り付けた３ｍｍφ針金を兼用させている。この洗濯バサミで３５０ｘ３５０ｘ５０の座布団を挟み、固定した。本実施例では、保持バーが無く、巻き取ることは出来ないが、洗濯バサミで固定でき、二人の枕の間で固定でき回転することも無く、朝まで安眠できた。また、座布団が不要の時は、洗濯バサミから簡単に外せた。
【産業上の利用可能性】
【００２０】以上説明した様に、本発明の間仕切りを使用すると、社会問題化している老人夫婦が家庭内で別々で寝ることによる問題点が減少すると考えられる。
【符号の説明】
【００２１】    １ヘッドボード
２フットボード
３床板
４マットレス
５保持支柱
６間仕切り板
７固定治具
８延長支柱
９固定用ネジ
１０保持バー
１１回転防止板
１２回転固定治具
１３洗濯バサミ保持フック
１４洗濯バサミ
【図１】
2014079543.tif 000003
【図２】
2014079543.tif 000004
【図３】
2014079543.tif 000005
【図４】
2014079543.tif 000006
【図５】
2014079543.tif 000007
【図６】
2014079543.tif 000008
【図７】
2014079543.tif 000009
【図８】
2014079543.tif 000010
【図９】
2014079543.tif 000011
【図１０】
2014079543.tif 000012